(57)【要約】【課題】端末に対する不要な通知が防止され、操作したユーザーに応じて操作対象の家電機器の動作を変更することができる遠隔制御システムを得ること。【解決手段】宅内または宅外から該宅内の家電機器（空気調和機１）を操作端末によって操作可能な遠隔制御システムであって、家電機器（空気調和機１）は、設定された通知条件と通知内容と直近の操作における操作端末の場所とを記憶する記憶部２０と、該操作端末への通知内容を決める送信通知判定部２１と、を備え、家電機器（空気調和機１）が通知条件を満たすと、送信通知判定部２１は記憶部２０を参照して、直近の操作における操作端末の場所に基づいて通知内容を決めて操作端末に家電機器（空気調和機１）の状態を通知する。【選択図】図２
2015133663.tif 000002
【特許請求の範囲】
【請求項１】
宅内または宅外から該宅内の家電機器を操作端末によって操作可能な遠隔制御システムであって、
前記家電機器は、設定された通知条件と通知内容と直近の操作における前記操作端末の場所とを記憶する記憶部と、前記操作端末への前記通知内容を決める送信通知判定部と、を備え、
前記家電機器が前記通知条件を満たすと、前記送信通知判定部は前記記憶部を参照して、前記直近の操作における前記操作端末の場所に基づいて前記操作端末に通知する前記通知内容を決めて前記操作端末に前記家電機器の状態を通知することを特徴とする遠隔制御システム。
【請求項２】
宅内または宅外から該宅内の家電機器を操作端末によって操作可能な遠隔制御システムであって、
前記操作端末は、前記家電機器の操作時に自身が宅内であるか宅外であるかの情報を付加する構成を備え、
前記家電機器は、設定された通知条件と通知内容と直近の操作における前記操作端末の場所とを記憶する記憶部と、前記操作端末への前記通知内容を決める送信通知判定部と、を備え、
前記家電機器が前記通知条件を満たすと、前記送信通知判定部は前記記憶部を参照して、前記操作端末により付加された前記操作端末が宅内であるか宅外であるかの情報に基づいて前記操作端末に通知する前記通知内容を決めて前記操作端末に前記家電機器の状態を通知することを特徴とする遠隔制御システム。
【請求項３】
宅内または宅外から該宅内の家電機器を複数の操作端末によって操作可能な遠隔制御システムであって、
前記家電機器は、設定された通知条件と通知内容と直近の操作における前記操作端末の場所とを記憶する記憶部と、前記操作端末への前記通知内容を決める送信通知判定部と、を備え、
前記家電機器が前記通知条件を満たすと、前記送信通知判定部は前記記憶部を参照して、前記操作端末のすべてに前記家電機器の状態を通知し、
前記操作端末が、前記操作端末の場所と前記通知内容に基づいて前記通知内容を通知するか否かを判断することを特徴とする遠隔制御システム。
【請求項４】
前記通知条件が異常状態であり、
前記通知内容は、前記異常状態が発生したこと及び前記異常状態のレベルであることを特徴とする請求項１から請求項３のいずれか一項に記載の遠隔制御システム。
【請求項５】
前記操作端末は前記通知内容を記憶する記憶部を備え、
前記操作端末の位置が宅外から宅内または宅内から宅外に切り換わると、前記通知内容のうち新たに通知すべき通知内容を参照して通知することを特徴とする請求項１から請求項４のいずれか一項に記載の遠隔制御システム。
【発明の詳細な説明】
【技術分野】
【０００１】
本発明は、遠隔制御システムに関する。
【背景技術】
【０００２】
近年、携帯電話またはスマートフォン等の移動端末を用いることで、宅内の家電機器を宅外から操作することが可能な遠隔制御システムの開発が進められている。
【０００３】
従来、このような遠隔制御システムとして、例えば、特許文献１には、宅内の家電機器の状態に応じて移動端末への通知も可能な構成とし、予めＡＳＰ（Ａｐｐｌｉｃａｔｉｏｎ  Ｓｅｒｖｉｃｅ  Ｐｒｏｖｉｄｅｒ）サーバに登録した条件を満たした場合に通知を行う設定とすることで、宅外（遠隔地）のユーザーが宅内の家電機器の状態を把握することが可能な技術が開示されている。
【先行技術文献】
【特許文献】
【０００４】
【特許文献１】特開２００５−３４６１８８号公報
【発明の概要】
【発明が解決しようとする課題】
【０００５】
しかしながら、上記従来の技術によれば、他のユーザーが先に帰宅して宅内の家電機器を宅内のリモコン等により操作した場合であっても、サーバに登録した条件を満たす限り、宅外のユーザーに逐一通知がなされてしまう。また、宅外のユーザーは宅内のユーザーによって当該家電機器の操作が行われたことを知らず、宅内のユーザーがオンした家電機器を宅外のユーザーが遠隔制御によりオフしてしまうことも想定される。そのため、利便性が低い、という問題があった。
【０００６】
本発明は、上記に鑑みてなされたものであって、不要な通知がなされることを防止し、操作したユーザーに応じて操作対象の家電機器の動作を変更することができる遠隔制御システムを得ることを目的とする。
【課題を解決するための手段】
【０００７】
上述した課題を解決し、目的を達成するために、本発明は、宅内または宅外から該宅内の家電機器を操作端末によって操作可能な遠隔制御システムであって、前記家電機器は、設定された通知条件と通知内容と直近の操作における操作端末の場所とを記憶する記憶部と、前記操作端末への前記通知内容を決める送信通知判定部と、を備え、前記家電機器が前記通知条件を満たすと、前記送信通知判定部は前記記憶部を参照して、前記直近の操作における前記操作端末の場所に基づいて前記操作端末に通知する前記通知内容を決めて前記操作端末に前記家電機器の状態を通知することを特徴とする遠隔制御システムである。
【発明の効果】
【０００８】
本発明によれば、不要な通知がなされることを防止し、操作したユーザーに応じて操作対象の家電機器の動作を変更することができる遠隔制御システムを得ることができる、という効果を奏する。
【図面の簡単な説明】
【０００９】
【図１】図１は、実施の形態１にかかる遠隔制御システムの構成の一例を示す概略図である。
【図２】図２は、実施の形態１にかかる遠隔制御システムにおける空気調和機（通知元機器）の構成の一例を示す図である。
【図３】図３は、実施の形態１にかかる遠隔制御システムにおける空気調和機の操作端末判定部の動作を説明するフローチャートを示す図である。
【図４】図４は、実施の形態１にかかる遠隔制御システムにおけるネットワーク端末（通知先機器）の構成の一例を示す図である。
【発明を実施するための形態】
【００１０】
以下に、本発明にかかる遠隔制御システムの実施の形態を図面に基づいて詳細に説明する。なお、この実施の形態によりこの発明が限定されるものではない。また、下記の説明において、図面では各構成部材の大きさの関係が実際のものとは異なる場合がある。
【００１１】
実施の形態１．
図１は、本発明にかかる遠隔制御システムの実施の形態１の構成の一例を示す概略図である。図１においては、リモコン２により操作される空気調和機１が設置された第１の居室９にペット３が存在し、冷凍冷蔵庫４が設置された第２の居室１２に第１のネットワーク端末５のユーザーである第１のユーザー１３が存在する。第２のネットワーク端末６のユーザーである第２のユーザー１４は、家１０の外に存在する。家１０内にはルータ７が設置されており、家１０の外には基地局１１が存在し、これらはそれぞれネットワーク８に接続されている。ネットワーク８は、例えばインターネットである。なお、図示していないが、ネットワーク８にはＡＳＰサーバが接続されている。また、第１のネットワーク端末５及び第２のネットワーク端末６は、例えば、携帯電話、スマートフォン、タブレットである。
【００１２】
空気調和機１は、リモコン２、第１のネットワーク端末５及び第２のネットワーク端末６によって操作され、第１の居室９の温度をペット３に適したものとなるように調整可能である。第１のネットワーク端末５及び第２のネットワーク端末６はルータ７を介して空気調和機１に接続されている。空気調和機１は、第１の居室９内の室温を把握可能であり、この室温が設定したしきい値以上または設定したしきい値未満となった場合、すなわちしきい値をまたいだ場合に、空気調和機１を動作させるべき旨を第１のネットワーク端末５及び第２のネットワーク端末６の一方または双方に通知する。
【００１３】
なお、このように居室内の一部の温度調整を行えばよい場合には、空気調和機１にセンサーを搭載させてペット３の位置を検知し、居室内の一部について（局地的に）温度の調整を行えばよい。このように局地的に温度の調整を行うことで消費電力を削減することができる。
【００１４】
冷凍冷蔵庫４は、ネットワーク対応の冷凍冷蔵庫であり、第１のネットワーク端末５及び第２のネットワーク端末６によって、例えば、運転状況、庫内の温度及び消費電力（電気代）の把握並びに運転モードの変更等が可能である。
【００１５】
家１０内においては、空気調和機１、冷凍冷蔵庫４及び第１のネットワーク端末５が、ルータ７を介してネットワーク８に接続される。家１０の外においては、第２のネットワーク端末６が、基地局１１を介してネットワーク８に接続される。
【００１６】
なお、ここでは、ルータ７として無線ＬＡＮルータを例示しており、ルータ７の無線通信可能な範囲は家１０内としているが、本発明はこれに限定されるものではなく、無線ＬＡＮルータの無線通信可能な範囲が家１０の外（例えば、庭）に及んでもよい。また、ルータ７は、無線ＬＡＮルータに限定されるものではなく、各機器と有線接続されていてもよい。このような場合には、ルータ７が空気調和機１及び冷凍冷蔵庫４に有線接続され、第１のネットワーク端末５が基地局１１を介してネットワーク８に接続されていればよい。
【００１７】
なお、空気調和機１、冷凍冷蔵庫４、第１のネットワーク端末５及び第２のネットワーク端末６のように、ルータ７または基地局１１を介してネットワーク８に接続されて情報の送受信が可能な機器をネットワーク端末と呼ぶものとする。また、情報を送信する側の機器を通知元機器と呼び、情報を受信する側の機器を通知先機器と呼ぶものとする。
【００１８】
ここで、例えば、空気調和機１が第１の居室９内の室温を検知して、検知した室温を第１のネットワーク端末５に送信する場合には、空気調和機１が通知元機器であり、第１のネットワーク端末５が通知先機器である。そして、第１のネットワーク端末５が空気調和機１の温度設定を変更する場合には、第１のネットワーク端末５が通知元機器であり、空気調和機１が通知先機器である。このように、動作によって通知元機器と通知先機器が入れ替わることがある。
【００１９】
図２は、本発明にかかる遠隔制御システムにおける空気調和機（通知元機器）の実施の形態１の構成の一例を示す図である。図２には、空気調和機１、リモコン２及びネットワーク端末１５が示されており、空気調和機１は、ネットワーク端末１５と通信するネットワーク通信部１６、空気調和機制御部（図示しない）に対して動作を指示する機器動作指示部１７、リモコン２からの信号を受信するリモコン受信部１８、操作元の端末を判定する操作端末判定部１９、直近の最終操作端末の情報と通知内容を記憶する記憶部２０、通知内容を決める送信通知判定部２１、フィルタの埃の量を検知するフィルタ検知部２２、空気調和機１の設置場所の温度を計測する温度計測部２３、所定の通知条件を満たす場合に警告音を発する音発生部２４及び所定の通知条件を満たす場合に警告表示を行う表示部２５を備える。
【００２０】
図３は、操作端末判定部１９の動作を説明するフローチャートを示す図である。まず、ネットワーク通信部１６またはリモコン受信部１８から要求を受信すると、処理をスタートし（ステップＳ１１）、操作端末判定部１９は、操作元がリモコンであるか否かを判定する（ステップＳ１２）。この判定の結果、操作元がリモコンでない場合（ステップＳ１２でＮｏに分岐する場合）には、操作端末判定部１９は、操作元が宅内であるか否かを判定する（ステップＳ１３）。この判定の結果、操作元が宅内でない場合（ステップＳ１３でＮｏに分岐する場合）には、直近の最終操作端末が宅外であることを記憶部２０に記憶する（ステップＳ１４）。ここで、判定は、例えば操作元のＩＰを参照することにより行えばよい。すなわち、操作元のＩＰがプライベートＩＰである場合には宅内であると判定し、プライベートＩＰでない場合には宅外であると判定すればよい。ただし、受信した要求に操作元が宅内である旨または宅外である旨の情報が付加されている場合には、この付加された情報を優先する。ステップＳ１２の判定の結果、操作元がリモコンである場合（ステップＳ１２でＹｅｓに分岐する場合）、または、ステップＳ１３の判定の結果、操作元が宅内である場合（ステップＳ１３でＹｅｓに分岐する場合）には、直近の最終操作端末が宅内であることを記憶部２０に記憶する（ステップＳ１５）。その後、操作端末判定部１９は、受信した要求を機器動作指示部１７を介して、空気調和機を制御すべく空気調和機制御部（図示しない）に指示する（ステップＳ１６）。なお、機器動作指示部１７は、直近の最終操作端末が宅内であるかまたは宅外であるかによって要求に応じた動作を行うか否かを決めることが可能である。そして、処理を終了する（ステップＳ１７）。
【００２１】
なお、上記フローチャートにおいて、操作端末判定部１９は操作元が宅内であるか、または宅外であるかの２値により判別しているが、本発明はこれに限定されるものではない。受信した要求に操作元の情報の詳細が付加されている場合には、この情報の詳細を参照して操作元の判別を行ってもよい。操作元の情報の詳細としては、例えば、複数のリモコンの識別子またはＭＡＣ（Ｍｅｄｉａ  Ａｃｃｅｓｓ  Ｃｏｎｔｒｏｌ）アドレスを例示することができる。
【００２２】
例えば、複数のリモコンとして親機のリモコンと子機のリモコンがあり、子機のリモコンにより設定温度の変更が行われた場合には、操作端末判定部１９は、操作元が子機のリモコンであることを判別して要求を無視し、親機のリモコンにより設定温度の変更が行われた場合には、操作元が親機のリモコンであることを判別して要求に応じて動作の制御を行う設定としてもよい。
【００２３】
送信通知判定部２１は、空気調和機１の状態に応じて通知を行うかどうかを判定することができる。ここで、空気調和機１の状態としては、フィルタ検知部２２の検知結果及び温度計測部２３の計測結果を例示することができる。フィルタ検知部２２及び温度計測部２３から通知される情報によりフィルタに埃が蓄積して汚れている、または空気調和機１の設置場所が設定した温度以上若しくは設定した温度未満であり通知条件を満たしている場合には、送信通知判定部２１は、ネットワーク端末１５、音発生部２４及び表示部２５のいずれか１つまたは複数にこの旨を通知する。このような通知条件と通知内容との関係の一例を下記の表１に示す。表１は記憶部２０に記憶されている。
【００２４】
【表１】
2015133663.tif 000003
【００２５】
例えば、温度計測部２３の計測温度が３０℃である場合には、通知条件を満たすため記憶部２０に記憶されている直近の最終操作端末を参照し、これが宅内である場合には、宅内の端末（図１における第１のネットワーク端末５）にはネットワーク通信部１６を介して「中」レベルの通知を行い、宅外の端末（図１における第２のネットワーク端末６）には通知を行わない。また、宅内の端末に対する通知と同様に、音発生部２４及び表示部２５にも「中」レベルの通知を行う。
【００２６】
このように通知を行うことで、音発生部２４でブザー音を鳴らし、表示部２５が点滅しつつ、ネットワーク端末１５に警告表示を行うことができる。なお、ここで行う通知は、例えば、上記のように異常状態の度合いに応じてレベル分けされており、レベルに応じて音発生部２４の音の大小を調整し、または表示部２５の点滅間隔を調整してもよい。すなわち、設定された通知条件が異常状態であり、通知内容が異常状態の発生及び異常状態のレベルとすればよい。または、通知内容をレベル分けせずに、通知内容を人間が知覚可能な態様で直接通知してもよい。すなわち、室温が２８℃を超えたことを音声アナウンスにより知らせてもよい。
【００２７】
なお、通知条件は、上記したフィルタ検知部２２からの情報または温度計測部２３からの情報に限定されるものではなく、その他のセンサーまたはタイマーなどからの情報が用いられてもよい。また、通知内容を通知する手段としては、音発生部２４及び表示部２５に限定されず、例えば機器が振動してもよい。また、送信通知判定部２１における判定に用いる通知条件は、リモコン２及びネットワーク端末１５によって変更可能な構成であってもよい。
【００２８】
図４は、本発明にかかる遠隔制御システムにおけるネットワーク端末（通知先機器）の実施の形態１の構成の一例を示す図である。図４には、空気調和機１及びネットワーク端末１５が示されており、ネットワーク端末１５は、通知内容を決める受信通知判定部２６、空気調和機１と通信するネットワーク通信部２７、通知内容が記憶されている記憶部２８、所定の通知条件を満たす場合に警告音を発する音発生部２９、所定の通知条件を満たす場合に警告表示を行う表示部３０及びネットワーク端末１５の現在位置情報を取得するネットワーク監視部３１を備える。上記説明したように、送信通知判定部２１における判定によりネットワーク通信部１６を介して警告等が通知されると、ネットワーク通信部２７がこれを受信し、受信通知判定部２６に送信し、通知内容の判定表を参照して動作を決める。この判定表の一例を下記の表２に示す。表２は記憶部２８に記憶されている。
【００２９】
【表２】
2015133663.tif 000004
【００３０】
例えば、第２のネットワーク端末６が空気調和機１から通知レベル（高）の通知を受けた場合、音発生部２９に対しては音を鳴らすことを要求し、表示部３０に対してはＬＥＤを点滅させることを要求する。なお、表２の内容は、ユーザーによって適宜変更可能とすればよい。
【００３１】
また、ネットワーク端末１５が宅外である場合には詳細な通知を行わず、ネットワーク端末１５が宅内に進入した場合に詳細な通知を行ってもよい。例えば、ネットワーク端末１５が宅外に存在する時に通知を受けても音を鳴らし、またはＬＥＤを点滅させるなどの明示的な通知を行わず、通知情報だけを記憶部２８に記憶しておき、ネットワーク端末１５が宅内に進入した時にこの通知情報を参照して動作を行う。
【００３２】
以上説明した本実施の形態の遠隔制御システムの一態様は、宅内または宅外から該宅内の家電機器を操作端末によって操作可能な遠隔制御システムであって、前記家電機器は、設定された通知条件と通知内容と直近の操作における前記操作端末の場所とを記憶する記憶部と、前記操作端末への前記通知内容を決める送信通知判定部と、を備え、前記家電機器が前記通知条件を満たすと、前記送信通知判定部は前記記憶部を参照して、前記直近の操作における前記操作端末の場所に基づいて前記操作端末に通知する前記通知内容を決めて前記操作端末に前記家電機器の状態を通知することを特徴とする遠隔制御システムである。
【００３３】
以上説明した本実施の形態の遠隔制御システムの一態様は、宅内または宅外から該宅内の家電機器を操作端末によって操作可能な遠隔制御システムであって、前記操作端末は、前記家電機器の操作時に自身が宅内であるか宅外であるかの情報を付加する構成を備え、前記家電機器は、設定された通知条件と通知内容と直近の操作における前記操作端末の場所とを記憶する記憶部と、前記操作端末への前記通知内容を決める送信通知判定部と、を備え、前記家電機器が前記通知条件を満たすと、前記送信通知判定部は前記記憶部を参照して、前記操作端末により付加された前記操作端末が宅内であるか宅外であるかの情報に基づいて前記操作端末に通知する前記通知内容を決めて前記操作端末に前記家電機器の状態を通知することを特徴とする遠隔制御システムである。
【００３４】
以上説明したように本実施の形態の遠隔制御システムは、ネットワーク端末の位置に応じて通知先、通知内容及び通知方法を変更するため、不要な通知がなされず、利便性を高いものとすることができる。
【００３５】
実施の形態２．
本実施の形態の遠隔制御システムでは、遠隔制御システムが備える空気調和機の送信通知判定部２１の機能が実施の形態１と異なる。実施の形態１では、通知元機器の送信通知判定部２１が直近の最終操作端末の情報を用いて通知先を決めているが、本実施の形態ではネットワーク機器のすべてに対して通知を行い、その際に直近の最終操作端末の情報を付加する。
【００３６】
本実施の形態では、通知先機器は通知元機器からの通知を受信し、受信通知判定部２６により通知内容を分類して動作を決める。例えば、空気調和機１が『通知内容：室温２８度以下、最終操作端末：宅内』を遠隔制御システムのネットワーク端末１５のすべてに対して通知すると、各通知先機器（ネットワーク端末１５）の受信通知判定部２６が記憶部２８に保存されているテーブル（例えば、表３）と、通知元からの通知内容と、ネットワーク監視部３１からの現在位置情報と、を用いて通知内容を決める。
【００３７】
【表３】
2015133663.tif 000005
【００３８】
例えば、宅内に存在する第１のネットワーク端末５が『通知内容：室温２８度以下、最終操作端末：宅内』との通知を受けた場合には、表３を参照してＬＥＤを点滅させる。または、宅外に存在する第２のネットワーク端末６がこの通知を受けた場合には、表３を参照しても動作を行わない。ただし、好ましくは、この通知があったことを第２のネットワーク端末６の記憶部２８に記憶させて、第２のネットワーク端末６が宅内に進入した際には、第２のネットワーク端末６の記憶部２８からこの通知が呼び出される構成とする。このような構成とすると、宅内に進入した際にすぐに通知を受け取ることができる。
【００３９】
すなわち、本実施の形態の遠隔制御システムは、宅内または宅外から該宅内の家電機器を複数の操作端末によって操作可能な遠隔制御システムであって、前記家電機器は、設定された通知条件と通知内容と直近の操作における前記操作端末の場所とを記憶する記憶部と、前記操作端末への前記通知内容を決める送信通知判定部と、を備え、前記家電機器が前記通知条件を満たすと、前記送信通知判定部は前記記憶部を参照して、前記操作端末のすべてに前記家電機器の状態を通知し、前記操作端末が、前記操作端末の場所と前記通知内容に基づいて前記通知内容を通知するか否かを判断することを特徴とする遠隔制御システムである。
【００４０】
実施の形態１の遠隔制御システムでは通知元機器に通知設定を集約せねばならず、通知先機器を増設すると通知元機器に対するメンテナンスが必要である。しかしながら、本実施の形態の遠隔制御システムによれば、通知先機器の設定を変更すれば、通知先機器保持者は不要な情報を受け取らずに済む。
【産業上の利用可能性】
【００４１】
以上のように、本発明にかかる遠隔制御システムは、宅外から家電機器を操作する遠隔制御システムに有用であり、特に、複数の端末により操作される遠隔制御システムに適している。
【符号の説明】
【００４２】
１  空気調和機、２  リモコン、３  ペット、４  冷凍冷蔵庫、５  第１のネットワーク端末、６  第２のネットワーク端末、７  ルータ、８  ネットワーク、９  第１の居室、１０  家、１１  基地局、１２  第２の居室、１３  第１のユーザー、１４  第２のユーザー、１５  ネットワーク端末、１６  ネットワーク通信部、１７  機器動作指示部、１８  リモコン受信部、１９  操作端末判定部、２０  記憶部、２１  送信通知判定部、２２  フィルタ検知部、２３  温度計測部、２４  音発生部、２５  表示部、２６  受信通知判定部、２７  ネットワーク通信部、２８  記憶部、２９  音発生部、３０  表示部、３１  ネットワーク監視部。
【図１】
2015133663.tif 000006
【図２】
2015133663.tif 000007
【図３】
2015133663.tif 000008
【図４】
2015133663.tif 000009